(57)【要約】【課題】コーナーピースを用いることなく、直方体状の骨格を安価に形成できるフレーム接合構造体を提供する。【解決手段】互いに直交するフレーム部材１、２により構成された枠体３のコーナー部に、第１の補助金具１０を接合する。またこの枠体３と直交する直交フレーム部材４の先端部に、第２の補助金具２０を接合する。第１の補助金具１０を略コ字状として第２の補助部材２０の内側に入り込む構造とすることが好ましい。これらの補助金具１０、２０どうしをネジ止めすることにより、枠体３のコーナー部に直交フレーム部材４を固定する。【選択図】    図２
2004165463.tif 000002
【特許請求の範囲】
【請求項１】
互いに直交するフレーム部材により構成された枠体のコーナー部に第１の補助金具を接合するとともに、この枠体と直交する直交フレーム部材の先端部に第２の補助金具を接合し、これらの補助金具どうしをネジ止めすることにより、枠体に直交フレーム部材を固定したことを特徴とするフレーム接合構造体。
【請求項２】
枠体を構成するフレーム部材が中空部材からなることを特徴とする請求項１に記載のフレーム接合構造体。
【請求項３】
一方の補助部材が略コ字状であり、他方の補助部材の内側に入り込む構造であることを特徴とする請求項１または２に記載のフレーム接合構造体。
【請求項４】
一方の補助部材の脚部が他方の補助部材に当接する構造であることを特徴とする請求項１〜３の何れかに記載のフレーム接合構造体。
【発明の詳細な説明】
【０００１】
【発明の属する技術分野】
本発明は、配電盤用キャビネット及び電子機器収納用ラックなどに用いられるフレーム接合構造体に関するものである。
【０００２】
【従来の技術】
【特許文献１】特表平１０−５０８５１７号公報（請求項、図１）
【０００３】
棒状のフレーム部材をＸＹＺ方向に互いに直交させて組み立て、直方体状の骨格を形成するようにしたフレーム接合構造体は、従来から配電盤用キャビネット及び電子機器収納用ラックなどに広く用いられている。このようなフレーム接合構造体においては、上記の特許文献１に示すようにフレーム部材を中空フレームとしておき、コーナーピースからＸＹＺ方向に延びる３本の接続腕を各フレーム部材の端面から差し込んでネジ止めする構造が一般的である。
【０００４】
このようなネジ止め式のフレーム接合構造体は組み立ての際に溶接を行う必要がないため、客先などにおいてドライバーだけで組み立てることができる利点がある。しかし、特許文献１に示されるようなコーナーピースはＸＹＺ方向に延びる３本の接続腕を持つ構造複雑な中実ブロック体であり、その生産コストが高くなるという問題があった。
【０００５】
【発明が解決しようとする課題】
本発明は上記した従来の問題点を解決し、コーナーピースを用いることなく、直方体状の骨格を安価に形成できるフレーム接合構造体を提供するためになされたものである。
【０００６】
【課題を解決するための手段】
上記の課題を解決するためになされた本発明のフレーム接合構造体は、互いに直交するフレーム部材により構成された枠体のコーナー部に第１の補助金具を接合するとともに、この枠体と直交する直交フレーム部材の先端部に第２の補助金具を接合し、これらの補助金具どうしをネジ止めすることにより、枠体に直交フレーム部材を固定したことを特徴とするものである。
【０００７】
なお、枠体を構成するフレーム部材が中空部材からなるものとすれば、強度と軽量化を両立させることができる。また、組み立て寸法精度を高めるためには、一方の補助部材が略コ字状で他方の補助部材の内側に入り込む構造であることが好ましく、一方の補助部材の脚部が他方の補助部材に当接する構造であることが好ましい。
【０００８】
本発明によれば、金属板を折り曲げて安価に製造できる補助部材を用いることにより枠体に直交フレーム部材を強固に固定することができ、従来のような構造複雑なコーナーピースを必要としないので、配電盤用キャビネット及び電子機器収納用ラックなどのコストダウンを図ることができる利点がある。
【０００９】
【発明の実施の形態】
以下に本発明の好ましい実施形態を示す。
図１は実施形態の組み立て前の要部を示す斜視図、図２はその組み立て状態の斜視図である。これらの図において、垂直なフレーム部材１と水平なフレーム部材２とは予め先端部が接続され平面状の枠体３を構成しているものとする。この枠体３は図３に示されるように額縁状のものである。図１に示されるようにこの実施形態のフレーム部材１、２は金属板を折り曲げた中空部材であり、強度と軽量化を両立させている。
【００１０】
また図１、図２に示される４はこの枠体３に対して直角に接合される直交フレーム部材であり、断面が略コ字状のものである。図１、図２においてはこの直交フレーム部材４も短く表示されているが、実際には図４に示すように十分な長さを持つ部材である。図示の直交フレーム部材４は、ラックの底部及び天井部を構成するものである。従来のものと同様に、各フレーム部材１、２、４にはそれぞれ一定ピッチで孔列５、６が形成されている。
【００１１】
上記の枠体１のコーナー部には、図１に示される第１の補助金具１０が接合されている。この第１の補助金具１０は、枠体１の内側面に接する略Ｌ字状の本体部分１１の両端を直交フレーム部材４の方向に向けて直角に折り曲げて接合片１２、１３を突設して略コ字状としたものである。この第１の補助金具１０は、金属板を折り曲げ成形することによって安価に製造することができる。第１の補助金具１０と枠体１とは溶接してもよいが、孔列５、６を利用してネジ止めすることもできる。
【００１２】
また、この枠体１と直交する直交フレーム部材４の先端部には、直交フレーム部材４の幅方向（水平なフレーム２の長手方向）に延びる第２の補助金具２０が接合されている。第２の補助金具２０は直交フレーム部材４の内側面に接する本体部分２１の両端を垂直なフレーム部材１の方向に向けて直角に折り曲げて接合片２２、２３としたものである。これらの接合片２２、２３は断面が略コ字状の直交フレーム部材４の先端部の内側にぴったりと嵌り込み、溶接またはネジ止めによって接合されている。この第２の補助金具２０も、金属板を折り曲げて溶接することによって、安価に製造することができる。
【００１３】
前記した第１の補助金具１０の接合片１２、１３の外側寸法は、第２の補助金具２０の接合片２２、２３の内側寸法よりも僅かに小さくなっている。このため、図２に示すように第１の補助金具１０の接合片１２、１３を第２の補助金具２０の接合片２２、２３の内側に差込み、図２に矢印で示す３ヶ所のネジ孔３１、３２、３３を利用してネジ止めすることにより、第１の補助金具１０と第２の補助金具２０とを強固に固定することができ、これによって枠体１に直交フレーム部材４を確実に固定することができる。この組み立て時のネジ止めは枠体１に平行な方向から行うことができ、直交フレーム部材４の長手方向に障害物が存在する場合にも支障なく行うことができる。
【００１４】
なお、図示のように第１の補助金具１０の脚部１４、１５が第２の補助部材２０に当接する構造としておけば、枠体１と直交フレーム部材４との位置決めがより正確に行われるので好ましい。また第１の補助金具１０と第２の補助部材２０との間により十分な接合強度を持たせることができる。
【００１５】
【発明の効果】
以上に説明したように、本発明のフレーム接合構造体は安価に製造できる補助部材を用いることにより、枠体に直交フレーム部材を強固に固定することができる。本発明では従来のような構造複雑なコーナーピースを必要としないので、コストダウンを図ることができ、しかも補助金具が十分な位置決め効果及び補強効果を発揮し、剛性のあるフレーム接合構造体を構成することができる利点がある。
【図面の簡単な説明】
【図１】組み立て前の要部を示す斜視図である。
【図２】組み立て状態の斜視図である。
【図３】第１の補助金具を取り付けた枠体を示す図であり、（Ａ）は正面図、（Ｂ）は側面図である。
【図４】第２の補助金具を取り付けた直交フレーム部材を示す図であり、（Ａ）は平面図、（Ｂ）は正面図である。
【符号の説明】
１  垂直なフレーム部材
２  水平なフレーム部材
３  枠体
４  直交フレーム部材
５  孔列
６  孔列
１０  第１の補助金具
１１  本体部分
１２  接合片
１３  接合片
２０  第２の補助金具
２１  本体部分
２２  接合片
２３  接合片
３１  ネジ孔
３２  ネジ孔
３３  ネジ孔
【図１】
2004165463.tif 000003
【図２】
2004165463.tif 000004
【図３】
2004165463.tif 000005
【図４】
2004165463.tif 000006